(57)【要約】【課題】脚回りからの漏れを抑制することを可能とした吸収性物品を提供する。【解決手段】吸収性本体１６の前後方向における両端部領域１６Ａが腹側外装体１２Ｆと背側外装体１２Ｒと接着された使い捨ておむつ１０において、腹側外装体１２Ｆと背側外装体１２Ｒとは、上部領域１２ＦＵ，１２ＲＵと下部領域１２ＦＤ，１２ＲＤとを備え、吸収性本体１６は、前後方向に沿う両側縁部に、吸収体１８が存しない領域を備えたシート側縁部１８Ａと、立体ギャザー２１と、シート側縁部１８Ａにおいて前後方向に延びるレグギャザー２３とを備え、立体ギャザー２１の第１弾性部材２１Ｅの端部は、下部領域１２ＦＤ，１２ＲＤに位置し、レグギャザー２３の第２弾性部材２３Ｅの端部は、下部領域１２ＦＤ，１２ＲＤに位置する。【選択図】図２
2018108337.tif 000002
【特許請求の範囲】
【請求項１】
第１外装部と、第２外装部と、前後方向における端部領域が前記第１外装部と前記第２外装部と重なり接着される吸収性本体とを備え、前記第1外装部と前記第２外装部との間に位置する前記吸収性本体が股下部を構成する吸収性物品において、
前記第１外装部および前記第２外装部のうち、少なくとも一方は、胴回り部を構成する上部領域と前記上部領域の下側に位置する下部領域とを備え、
前記吸収性本体は、
前記前後方向に沿った両側縁部であって、かつ、前記股下部を含む範囲に配置される立体ギャザーであって、前記前後方向に延びる第１弾性部材を前記前後方向に延びるサイドシートで挟み込み、基端部が前記吸収性本体の内面側に接着された立体ギャザーと、
前記両側縁部において前記前後方向に延びる第２弾性部材をシートで挟み込んだレグギャザーとを備え、
前記第１弾性部材の端部は、前記下部領域の前記股下部側の端部よりも前記上部領域側であって、かつ、前記上部領域の前記股下部側の端部よりも前記股下部側に位置し、
前記第２弾性部材の端部は、前記下部領域の前記股下部側の端部よりも前記上部領域側に位置している吸収性物品。
【請求項２】
前記立体ギャザーの前後方向における端部は、前記上部領域と重なる領域において、前記立体ギャザーの先端部から折返部に亘る領域の一部が前記基端部側に接着されている
請求項１に記載の吸収性物品。
【請求項３】
前記立体ギャザーの前後方向における端部は、前記上部領域と重なる領域において、前記立体ギャザーの先端部から折返部に亘る領域の全部が前記基端部側に接着されている
請求項１に記載の吸収性物品。
【請求項４】
前記上部領域は、前記端部領域に対して内側に位置する内部弾性部を備え、
前記下部領域は、前記端部領域に対して外側に位置し、前記端部領域の外側の面に接着される外部弾性部を備え、
前記内部弾性部は、前記端部領域と重なる領域において非接着であり、前記端部領域の周囲において、前記端部領域に対して外側に位置しているシート部に対して接着されており、
前記内部弾性部と前記端部領域の間には、開口端を股下部側としたポケットが構成されている
請求項１ないし３のうち何れか１項に記載の吸収性物品。
【発明の詳細な説明】
【技術分野】
【０００１】
本発明は、レグギャザーと立体ギャザーを備えた吸収性物品に関する。
【背景技術】
【０００２】
特許文献１に示すように、吸収性物品としての使い捨ておむつは、前身頃を構成する第１外装部と、後身頃とを構成する第２外装部と、前端部が第１外装部に接合され後端部が第２外装部に接合される吸収性本体とから構成されている。第１外装部と第２外装部とは、吸収性本体を２つに折曲し、各外装部の胴回り方向の両端部同士を接合することで、上端部に胴回り部を構成し、下端部に脚回り開口部を構成する。使い捨ておむつの多くは、脚回り開口部の周囲にレグギャザーが配置されているとともに、吸収性本体の肌と接触する内面であって、前後方向に沿う両端部に立体ギャザーが配置されている。レグギャザーや立体ギャザーは、糸ゴムなどの弾性部材をシートで挟み込んで構成されている。
【先行技術文献】
【特許文献】
【０００３】
【特許文献１】特開２００６−２６３３０６号公報
【発明の概要】
【発明が解決しようとする課題】
【０００４】
レグギャザーや立体ギャザーを備えた吸収性物品にあっても、レグギャザーや立体ギャザーが肌から離れて肌に密着しないと、脚回りに隙間を生じ、排泄物が脚回りから漏れる原因となる。
【０００５】
本発明は、脚回りからの漏れを抑制することを可能とした吸収性物品を提供することを目的とする。
【課題を解決するための手段】
【０００６】
上記課題を解決するための吸収性物品は、第１外装部と、第２外装部と、前後方向における両端部領域が前記第１外装部と前記第２外装部と重なり接着される吸収性本体とを備え、前記第1外装部と前記第２外装部との間に位置する前記吸収性本体が股下部を構成する吸収性物品において、前記第１外装部および前記第２外装部のうち、少なくとも一方は、胴回り部を構成する上部領域と前記上部領域の下側に位置する下部領域とを備え、前記吸収性本体は、前記前後方向に沿った両側縁部であって、かつ、前記股下部を含む範囲に配置される立体ギャザーであって、前記前後方向に延びる第１弾性部材を前記前後方向に延びるサイドシートで挟み込み、基端部が前記吸収性本体の内面側に接着された立体ギャザーと、前記両側縁部において前記前後方向に延びる第２弾性部材をシートで挟み込んだレグギャザーとを備え、前記第１弾性部材の端部は、前記下部領域の前記股下部側の端部よりも前記上部領域側であって、かつ、前記上部領域の前記股下部側の端部よりも前記股下部側に位置し、前記第２弾性部材の端部は、前記下部領域の前記股下部側の端部よりも前記上部領域側に位置している。
【０００７】
上記構成によれば、外装体に上部領域と下部領域とを備える吸収性物品において、立体ギャザーとレグギャザーとを設けることで、脚回りからの漏れを抑制することができる。また、第１弾性部材および第２弾性部材は、下部領域に端部が位置するので、立体ギャザーやレグギャザーを脚回りでしっかりと立ち上がらせることができる。これにより、脚回りからの漏れを抑制することができる。
また、着用時において、立体ギャザーとレグギャザーの間に構成される溝に浸入した液体は、着用者の姿勢が変わることを契機として、上部領域の方向へ流れる。上部領域では、立体ギャザーに第１弾性部材は配置されておらず、溝は形成されない。したがって、液体を吸収領域の方向へ流すことができる。これにより、脚回りからの漏れを抑制することができる。
【０００８】
上記吸収性物品において、前記立体ギャザーの前後方向における端部は、前記上部領域と重なる領域において、前記立体ギャザーの先端部から折返部に亘る領域の一部が前記基端部側に接着されている構成としてもよい。
上記構成によれば、立体ギャザーを、腹側の下部領域、股下領域、背側の下部領域に亘る範囲で立体ギャザーを立ち上がらせることができる。
【０００９】
上記吸収性物品において、前記立体ギャザーの前後方向における端部は、前記上部領域と重なる領域において、前記立体ギャザーの先端部から折返部に亘る領域の全部が前記基端部側に接着されている構成としてもよい。
上記構成によれば、立体ギャザーを、腹側の下部領域、股下領域、背側の下部領域に亘る範囲で立体ギャザーを立ち上がらせることができる。
【００１０】
上記吸収性物品において、前記上部領域は、前記端部領域に対して内側に位置する内部弾性部を備え、前記下部領域は、前記端部領域に対して外側に位置し、前記端部領域の外側の面に接着される外部弾性部を備え、前記内部弾性部は、前記端部領域と重なる領域において非接着であり、前記端部領域の周囲において、前記端部領域に対して外側に位置しているシート部に対して接着されており、前記内部弾性部と前記端部領域の間には、開口端を股下部側としたポケットが構成されている構成としてもよい。
上記構成によれば、ポケットに排泄物を収容できる。また、立体ギャザーおよびレグギャザーによって、ポケットへ排泄物を導くことができる。
【発明の効果】
【００１１】
本発明によれば、脚回りからの漏れを抑制することを可能とした吸収性物品を提供することができる。
【図面の簡単な説明】
【００１２】
【図１】本発明の吸収性本体を具体化した第１実施形態におけるパンツ型使い捨ておむつの斜視図。
【図２】（ａ）は、第１実施形態におけるパンツ型使い捨ておむつの展開状態を示す平面図、（ｂ）は、（ａ）のａ−ａ断面図。
【図３】（ａ）は、上部領域の接着領域を図２（ａ）に対応して示す平面図、（ｂ）は、下部領域の接着領域を図２（ａ）に対応して示す平面図。
【図４】おむつが装着された状態の要部断面図。
【図５】吸収性本体を幅方向に伸長した状態を示す図であり、（ａ）は、図２（ａ）の股下部におけるＸ−Ｘ断面図、（ｂ）は、図２（ａ）の下部領域におけるＹ−Ｙ断面図、（ｃ）は、図２（ａ）の上部領域におけるＺ−Ｚ断面図。
【図６】着用時における吸収性本体の状態を示す図であり、（ａ）は、図２（ａ）の股下部におけるＸ−Ｘ断面図、（ｂ）は、図２（ａ）の下部領域におけるＹ−Ｙ断面図、（ｃ）は、図２（ａ）の上部領域におけるＺ−Ｚ断面図。
【発明を実施するための形態】
【００１３】
図１ないし図６を参照して本発明における吸収性物品を具体化した一実施形態におけるパンツ型使い捨ておむつについて説明する。
図１に示すように、パンツ型使い捨ておむつ１０（以下、単に「おむつ１０」という。）は、人体の腹部形状に追従する形状を有する前身頃１０Ｆと、人体の背部形状に追従する形状を有する後身頃１０Ｒと、前身頃１０Ｆおよび後身頃１０Ｒを繋ぐ股下部１０Ｃとを備える。
【００１４】
前身頃１０Ｆにおいて股下部１０Ｃと反対側は、人体の胴回りの部分を取り囲む胴回り部１０Ｗを構成し、上端に、胴回り開口部１０Ａを備えている。また、前身頃１０Ｆにおける左右両端部、後身頃１０Ｒにおける左右両端部、および、股下部１０Ｃにおける左右両端部とは、人体の太股部分を取り囲む形状を有した左右一対の脚回り開口部１０Ｌを構成している。また、前身頃１０Ｆと後身頃１０Ｒの胴回り方向の左右両端部は、接合部１１となっている。
【００１５】
図２（ａ）は、パンツ型使い捨ておむつの展開状態を示す平面図、（ｂ）は、（ａ）のａ−ａ断面図である。なお、図２（ｂ）において、右側がおむつ装着者の肌側となる。
【００１６】
前身頃１０Ｆにおける胴回り部１０Ｗは、腹側の第１外装部としての腹側外装体１２Ｆで構成され、後身頃１０Ｒにおける胴回り部１０Ｗは、背側の第２外装部としての背側外装体１２Ｒで構成されている。
【００１７】
腹側外装体１２Ｆおよび背側外装体１２Ｒは、胴回り方向を長手方向とした矩形形状を有している。外装体を構成するシートは、一例として、ポリエチレン、ポリプロピレン、ポリエステル、その他の熱可塑性樹脂を原料とした合成繊維からなる不織布であり、また、透液性シート、不透液性シートであってもよい。そして、腹側外装体１２Ｆは、腹側外装体１２Ｆを構成するシート間に腹側上部弾性部材１５ＦＵおよび腹側下部弾性部材１５ＦＤが挟まれて構成されている。背側外装体１２Ｒもまた、背側外装体１２Ｒを構成するシート間に背側上部弾性部材１５ＲＵおよび背側下部弾性部材１５ＲＤが挟まれて構成されている。これらの弾性部材１５ＦＵ，１５ＦＤ，１５ＲＵ，１５ＲＤは、天然ゴム、合成ゴム、ウレタンなどから選ばれる１つ以上の材料により形成された弾性体であり、糸状または紐状に形成されている。弾性部材１５ＦＵ，１５ＦＤ，１５ＲＵ，１５ＲＤは、複数本が互いに平行に、胴回り方向に沿って配置されている。
【００１８】
腹側外装体１２Ｆと背側外装体１２Ｒとは、股下部１０Ｃを構成する吸収性本体１６で連結される。吸収性本体１６は、前後方向を長手方向とした矩形形状を有している。図２（ｂ）に示すように、吸収性本体１６は、液不透過性を有したバックシート１７と、吸収体１８と、液透過性を有したトップシート１９と、バックシート１７に対して外側に重ねられるカバーシート２０とを備えている。おむつ１０において、トップシート１９は、着用者の肌と接する内側に配置され、バックシート１７は、吸収体１８に対して外側に配置され、カバーシート２０は、バックシート１７を覆うように、最外に配置される。そして、吸収性本体１６において、外側から、カバーシート２０、バックシート１７、吸収体１８、トップシート１９の順に重なっている。
【００１９】
バックシート１７を形成する材料は、例えば、液不透過性を有したポリエチレン樹脂製のフィルムである。バックシート１７は、通気性を確保するため、微細孔が多数形成されている。トップシート１９およびカバーシート２０を形成する材料は、例えば、織布、不織布、多孔性フィルムなどから選ばれる１以上の材料である。また、トップシート１９は、例えば、ポリプロピレン、ポリエチレン、ポリエステル、ナイロンのような熱可塑性樹脂の繊維であって親水化処理が施された繊維から構成される液透過性を有した不織布などが用いられる。カバーシート２０は、最外のシートであり、使用者に触れるシートであるため、手触り感を向上させる不織布などで構成されている。
【００２０】
吸収体１８は、前身頃１０Ｆ、股下部１０Ｃ、および、後身頃１０Ｒに跨るように細長い帯形状を有している。吸収体１８は、吸収性材料の成形体と、成形体を包むコアラップとで構成されている。吸収体１８を形成する吸収性材料の成形体は、例えば、フラッフパルプ、高吸収性ポリマー、親水性シートなどの吸収性材料を成形したものである。また、コアラップは、ティシュや不織布などで構成されている。そして、吸収体１８は、バックシート１７とトップシート１９との間に配置され接合される。吸収体１８は、腹側外装体１２Ｆと背側外装体１２Ｒとの間に延在され、腹側端部１８Ｆと背側端部１８Ｒとを備えている。なお、吸収体１８において、コアラップは省略されていてもよい。
【００２１】
バックシート１７、トップシート１９、および、カバーシート２０は、吸収体１８に対して一回り大きな矩形形状を有したシートであり、中央領域に吸収体１８が配置され、吸収体１８の周辺部には吸収体１８は存在しない。吸収性本体１６における前後方向の両側縁部は、吸収体１８が存在しないシート側縁部１８Ａである。シート側縁部１８Ａは、一例として、バックシート１７、トップシート１９、および、カバーシート２０が重なって構成されている。また、シート側縁部１８Ａは、一例として、カバーシート２０の前後方向に延びる両側縁部を内側に折り返して構成されている。また、吸収性本体１６の前後方向における外装体１２Ｆ，１２Ｒと重なる領域の内面と外面は、外装体を構成するシートが接着される端部領域１６Ａとなる。端部領域１６Ａは、吸収性本体１６の前後方向の両端部であって、吸収体１８の腹側端部１８Ｆおよび背側端部１８Ｒと、これら端部１８Ｆ，１８Ｒの周辺部１８Ｂと、シート側縁部１８Ａとを含む領域である。
【００２２】
腹側外装体１２Ｆは、腹側上部領域１２ＦＵと腹側下部領域１２ＦＤとを備えている。背側外装体１２Ｒも、背側上部領域１２ＲＵと背側下部領域１２ＲＤとを備えている。
【００２３】
図２（ｂ）に示すように、腹側上部領域１２ＦＵおよび背側上部領域１２ＲＵでは、腹側上部弾性部材１５ＦＵおよび背側上部弾性部材１５ＲＵが吸収性本体１６に対して内側、すなわちトップシート１９側に配置されており、胴回り開口部１０Ａや胴回り部１０Ｗの一部を構成している。腹側下部領域１２ＦＤおよび背側下部領域１２ＲＤでは、腹側下部弾性部材１５ＦＤおよび背側下部弾性部材１５ＲＤが吸収性本体１６に対して外側、すなわちバックシート１７やカバーシート２０側に配置されており、胴回り部１０Ｗの一部を構成している。
【００２４】
腹側上部領域１２ＦＵには、複数本の腹側上部弾性部材１５ＦＵが胴回り方向を長手方向としたシート間（腹側外部シート部２６Ｆと腹側内部シート部２５Ｆの間）において、胴回り方向における左右両端部に亘って伸長された状態で配置されている。背側上部領域１２ＲＵには、複数本の背側上部弾性部材１５ＲＵが胴回り方向を長手方向としたシート間（背側外部シート部２６Ｒと背側内部シート部２５Ｒとの間）において、胴回り方向における左右両端部に亘って伸長された状態で配置されている。
【００２５】
また、腹側下部領域１２ＦＤには、複数本の腹側下部弾性部材１５ＦＤが胴回り方向を長手方向としたシート間（腹側外部シート部２６Ｆと腹側内部シート部２５Ｆの間）において、胴回り方向における左右両端部に亘って配置されている。背側下部領域１２ＲＤには、複数本の背側下部弾性部材１５ＲＤが胴回り方向を長手方向としたシート間（背側外部シート部２６Ｒと背側内部シート部２５Ｒとの間）において、胴回り方向における左右両端部に亘って配置されている。これら弾性部材１５ＦＵ，１５ＦＤ，１５ＲＵ，１５ＲＤは、胴回り部１０Ｗにおいて、ウェストギャザーやタミーギャザーを構成し、腹漏れや背漏れの発生を抑制する。
【００２６】
図２（ｂ）に示すように、腹側下部領域１２ＦＤおよび背側下部領域１２ＲＤは、吸収性本体１６における端部領域１６Ａのカバーシート２０に直接接着されている。図２（ａ）に示すように、腹側下部弾性部材１５ＦＤは、端部領域１６Ａ上において、伸長していない状態、例えば切断された状態で配置されている。また、大半の背側下部弾性部材１５ＲＤは、端部領域１６Ａ上において、伸長していない状態、例えば切断された状態で配置されている。これにより、吸収性本体１６は、腹側下部弾性部材１５ＦＤおよび背側下部弾性部材１５ＲＤの収縮に合わせて吸収性本体１６が収縮し、吸収性本体１６にひだが形成されることを抑制することができる。そして、吸収性本体１６と肌との間に隙間が生じることを抑制でき、腹漏れや背漏れを抑制することができる。
【００２７】
複数本の背側下部弾性部材１５ＲＤのうちで背側上部領域１２ＲＵの近くにおいて背側上部領域１２ＲＵの下端部に沿って位置する複数本の背側下部弾性部材１５ＲＤ１は、吸収体１８の背側端部１８Ｒ上において、伸長した状態、すなわち切断されていない状態で配置されている。したがって、背側下部弾性部材１５ＲＤ１が配置された領域では、背側端部１８Ｒにひだ１６Ｂを形成することができる。ひだ１６Ｂが形成された背側端部１８Ｒでは、吸収体１８の厚さがひだ１６Ｂが形成されていない領域よりも厚くなり、後述の背側ポケット３０Ｒの開口端が臀部に押されて塞がりにくくなる。ひだ１６Ｂを、背側ポケット３０Ｒに導くガイドとして機能させることができる。
【００２８】
図２（ｂ）に示すように、腹側上部領域１２ＦＵは、腹側上部弾性部材１５ＦＵをシート（腹側外部シート部２６Ｆと腹側内部シート部２５Ｆ）で挟み込んで腹側内部弾性部２７Ｆを構成している。また、腹側下部領域１２ＦＤも、腹側下部弾性部材１５ＦＤをシート（腹側外部シート部２６Ｆと腹側内部シート部２５Ｆ）で挟み込んだ腹側外部弾性部２８Ｆを構成している。腹側上部領域１２ＦＵおよび腹側下部領域１２ＦＤは、腹側外部シート部２６Ｆと腹側内部シート部２５Ｆとによって、一連に繋がっている。
【００２９】
背側上部領域１２ＲＵは、背側上部弾性部材１５ＲＵをシート（背側外部シート部２６Ｒと背側内部シート部２５Ｒ）で挟み込んで背側内部弾性部２７Ｒを構成している。また、背側下部領域１２ＲＤも、背側下部弾性部材１５ＲＤをシート（背側外部シート部２６Ｒと背側内部シート部２５Ｒ）で挟み込んで背側外部弾性部２８Ｒを構成している。背側上部領域１２ＲＵおよび背側下部領域１２ＲＤは、背側外部シート部２６Ｒと背側内部シート部２５Ｒとによって、一連に繋がっている。
【００３０】
腹側外部シート部２６Ｆおび背側外部シート部２６Ｒは、肌とは反対側の最も外側に位置するとともに、胴回り開口部１０Ａの部分で内側に折り曲げられて最も肌側に位置するシートである。腹側内部シート部２５Ｆおよび背側内部シート部２５Ｒは、腹側外部シート部２６Ｆおび背側外部シート部２６Ｒに対向するシートである。
【００３１】
腹側内部弾性部２７Ｆを構成している腹側外部シート部２６Ｆおよび腹側内部シート部２５Ｆは、腹側上部弾性部材１５ＦＵおよび腹側下部弾性部材１５ＦＤを挟み込み、第１接着剤２４で接着されている。腹側外部シート部２６Ｆおよび腹側内部シート部２５Ｆの折り返し部分は、胴回り開口部１０Ａを構成し、胴回り開口部１０Ａをシートの２枚重ねで構成することによって、強度を高めている。
【００３２】
背側内部弾性部２７Ｒを構成している背側外部シート部２６Ｒおよび背側内部シート部２５Ｒは、背側上部弾性部材１５ＲＵおよび背側下部弾性部材１５ＲＤを挟み込み、第１接着剤２４で接着されている。背側外部シート部２６Ｒおよび背側内部シート部２５Ｒの折り返し部分は、胴回り開口部１０Ａを構成し、胴回り開口部１０Ａをシート２枚重ねで構成することによって、強度を高めている。
【００３３】
腹側内部弾性部２７Ｆおよび背側内部弾性部２７Ｒにおいて、腹側上部弾性部材１５ＦＵおよび背側上部弾性部材１５ＲＵと隣接する腹側内部シート部２５Ｆおよび背側内部シート部２５Ｒは、端部領域１６Ａのトップシート１９に対して非接着とされる。また、腹側内部弾性部２７Ｆおよび背側内部弾性部２７Ｒにおいて、端部領域１６Ａの周囲の領域では、胴回り開口部１０Ａで折り返された腹側内部シート部２５Ｆ同士が第２接着剤２５によって接着される。また、端部領域１６Ａのカバーシート２０も腹側内部シート部２５Ｆに対して第２接着剤２５によって接着される。
【００３４】
ここで、図３（ａ）は、上部領域の接着領域を図２（ａ）に対応して示す平面図、図３（ｂ）は、下部領域の接着領域を図２（ａ）に対応して示す平面図である。
図２（ｂ）および図３（ａ）に示すように、腹側上部領域１２ＦＵにおいて、端部領域１６Ａのカバーシート２０が腹側内部シート部２５Ｆに対して第２接着剤２５によって接着される領域が、第１接着領域２２Ａとなる。また、背側上部領域１２ＲＵにおいて、端部領域１６Ａのカバーシート２０が背側内部シート部２５Ｒに対して第２接着剤２５によって接着される領域が、第１接着領域２２Ａとなる。
【００３５】
また、腹側上部領域１２ＦＵにおける腹側内部弾性部２７Ｆにおいて、第１接着領域２２Ａの周囲であって、胴回り開口部１０Ａで折り返された腹側内部シート部２５Ｆ同士が第２接着剤２５によって接着される領域が、第２接着領域２２Ｂとなる。また、背側上部領域１２ＲＵにおける背側内部弾性部２７Ｒにおいて、胴回り開口部１０Ａで折り返された背側内部シート部２５Ｒ同士が第２接着剤２５によって接着される領域が、第２接着領域２２Ｂとなる。腹側内部弾性部２７Ｆおよび背側内部弾性部２７Ｒにおける第２接着領域２２Ｂは、端部領域１６Ａの周囲となることで、股下部１０Ｃを向いた凹部形状となる。この凹部形状の内側部分において、腹側内部弾性部２７Ｆおよび背側内部弾性部２７Ｒは、端部領域１６Ａのトップシート１９に対して非接着部となる。これにより、腹側内部弾性部２７Ｆの腹側内部シート部２５Ｆと端部領域１６Ａのトップシート１９との間には、腹側ポケット３０Ｆが構成される。また、背側内部弾性部２７Ｒの背側内部シート部２５Ｒと端部領域１６Ａのトップシート１９との間には、背側ポケット３０Ｒが構成される。
【００３６】
これらポケット３０Ｆ，３０Ｒは、股下部１０Ｃ側を開口端とし、腹や背の方向に移動する尿や便などの排泄物を収容できるように構成されている。また、第２接着領域２２Ｂは、胴回り開口部１０Ａと端部領域１６Ａの前後方向の先端部との間に所定の幅を有する余白部３４を備え、ポケット３０Ｆ，３０Ｒに収容された排泄物が胴回り開口部１０Ａの方へ漏れることを抑制している。
【００３７】
また、図３（ｂ）に示すように、腹側下部領域１２ＦＤおよび背側下部領域１２ＲＤにおいて、腹側外部弾性部２８Ｆおよび背側外部弾性部２８Ｒの腹側内部シート部２５Ｆおよび背側内部シート部２５Ｒが端部領域１６Ａのバックシート１７に対して接着される領域が、第３接着領域２２Ｃとなる。
【００３８】
ここで、腹側ポケット３０Ｆおよび背側ポケット３０Ｒの大きさについて説明する。図４に示すように、例えば乳幼児の体型は、腹部３６側は股間部分において窪み部３７を有しており、背部３８側は、臀部３９が出っ張っている。したがって、腹側ポケット３０Ｆの開口端は、股間部分が窪んでいることで開いた状態になりやすく、排泄物も腹側ポケット３０Ｆ内に浸入しやすくなる。また、腹側ポケット３０Ｆは、尿などの液体が多く流入する傾向があり、小さ過ぎると腹漏れの原因となる。そこで、腹側ポケット３０Ｆは、背側ポケット３０Ｒに対して大きく深いものとし、尿などの排泄物を収容するための容積を十分確保し、腹漏れの発生を抑えるようにしている。そして、腹側ポケット３０Ｆは、おむつ１０を廃棄する際に、腹側ポケット３０Ｆ以外の部分が丸められた状態で収容される。
【００３９】
なお、背側ポケット３０Ｒは、腹側ポケット３０Ｆに対して小さく浅いものとなっており、臀部３９によって、背側ポケット３０Ｒの開口端が塞がれにくくなっている。
【００４０】
図２（ａ）に示すように、吸収性本体１６の内面、すなわちトップシート１９上には、前後方向に沿う両端部に立体ギャザー２１が配置されている。各立体ギャザー２１は、吸収性本体１６の前後方向に延在する第１弾性部材２１Ｅと、第１弾性部材２１Ｅを挟み込むサイドシート２１Ｓとを備えている。第１弾性部材２１Ｅは、複数本が互いに平行な状態で、かつ、ホットメルト接着剤が塗布され伸長された状態でサイドシート２１Ｓに対して配置され、サイドシート２１Ｓが二つ折りされることで、サイドシート２１Ｓによって挟み込まれる。第１弾性部材２１Ｅは、弾性部材１５ＦＵ，１５ＦＤ，１５ＲＵ，１５ＲＤと同様な材料で構成されている。サイドシート２１Ｓも、トップシート１９やカバーシート２０と同様なシートで構成され、例えば、液不透過性を有した不織布などを含んだ前後方向に延びる長尺のシート体で構成されている。
【００４１】
サイドシート２１Ｓは、前後方向において、腹側上部領域１２ＦＵ、股下部１０Ｃ、および、背側上部領域１２ＲＵに跨る長さを有している。第１弾性部材２１Ｅは、サイドシート２１Ｓの前後方向における長さよりも短く、腹側下部領域１２ＦＤ、股下部１０Ｃ、および、背側下部領域１２ＲＤに跨る長さを有している。具体的には、第１弾性部材２１Ｅの前端部は、腹側下部領域１２ＦＤの下端部よりも腹側上部領域１２ＦＵ側に位置し、かつ、腹側上部領域１２ＦＵよりも股下部１０Ｃ側、すなわち腹側下部領域１２ＦＤに位置している。この例において、第１弾性部材２１Ｅの前端部は、腹側下部領域１２ＦＤの腹側上部領域１２ＦＵ側の端部に位置している。また、第１弾性部材２１Ｅの後端部は、背側下部領域１２ＲＤの下端部よりも背側上部領域１２ＲＵ側に位置し、かつ、背側上部領域１２ＲＵよりも股下部１０Ｃ側、すなわち背側下部領域１２ＲＤに位置している。この例において、第１弾性部材２１Ｅの後端部は、背側下部領域１２ＲＤの背側上部領域１２ＲＵ側の端部に位置している。
【００４２】
図５（ａ）に示すように、股下部１０Ｃにおいて、第１弾性部材２１Ｅを挟み込んだサイドシート２１Ｓは、折り返された２つのシートの各端部、すなわち立体ギャザー２１の基端部２１Ｂが吸収性本体１６のシート側縁部１８Ａにホットメルト接着剤などの接着剤２１Ａによって固定される。具体的には、第１弾性部材２１Ｅを挟み込んだサイドシート２１Ｓは、先端部が吸収性本体１６の左右方向両端部から左右方向の中心線方向に向かって延びるように配置され、基端部２１Ｂが接着剤２１Ａによって接着されている。さらに、サイドシート２１Ｓは、基端部２１Ｂにおける左右方向の中心線側の縁部を折返部２１Ｔとして、折返部２１Ｔから先端部２１Ｐまでが吸収性本体１６の左右方向両端部を向くように折り返されている。
【００４３】
図５（ｂ）に示すように、腹側下部領域１２ＦＤおよび背側下部領域１２ＲＤにおいても、立体ギャザー２１の基端部が吸収性本体１６のシート側縁部１８Ａに接着剤２１Ａによって固定される。股下部１０Ｃ、ならびに、腹側下部領域１２ＦＤおよび背側下部領域１２ＲＤにおいて、第１弾性部材２１Ｅを挟み込んだサイドシート２１Ｓは、肌当接方向に対して立体ギャザー２１として立ち上がることができればよい。第１弾性部材２１Ｅを挟み込んだサイドシート２１Ｓは、先端部２１Ｐから折返部２１Ｔまでが非接着とされ、立体ギャザー２１を立ち上がり可能としている。第１弾性部材２１Ｅを挟み込んだサイドシート２１Ｓは、少なくとも、先端部２１Ｐから折返部２１Ｔに最も近い第１弾性部材２１Ｅ１までが非接着であれば非接着の部分を立ち上がらせることができる。そして、先端部２１Ｐまでの非接着の部分が長いほど、立体ギャザー２１の立ち上がりの高さは高くなり、先端部２１Ｐをしっかりと肌に当接させることができる。
【００４４】
図５（ｃ）に示すように、腹側上部領域１２ＦＵおよび背側上部領域１２ＲＵでは、第１弾性部材２１Ｅが存在せず、サイドシート２１Ｓの先端部２１Ｐから折返部２１Ｔまでの全領域が基端部２１Ｂやシート側縁部１８Ａに対して接着剤２１Ａによって固定され、シール部２１Ｃとなっている。なお、サイドシート２１Ｓの先端部２１Ｐから折返部２１Ｔまでの全領域が第２接着剤２５と一連の接着剤で接着されていてもよい。また、基端部２１Ｂのシート側縁部１８Ａに対する接着やシール部２１Ｃは熱溶着であってもよい。
【００４５】
また、吸収性本体１６のシート側縁部１８Ａは、カバーシート２０の前後方向に沿う両側縁部を、中央側に折り返して構成されている。図２（ａ）に示すように、そして、折り返されたシート側縁部１８Ａは、レグギャザー２３を備えている。レグギャザー２３は、シート側縁部１８Ａで吸収性本体１６の前後方向に延在する第２弾性部材２３Ｅを挟み込んで構成されている。そして、折り返されたカバーシート２０と重ねられた先端部は、接着剤２３Ｃによって接着されている（図５（ａ）〜（ｃ）参照）。接着剤２３Ｃは、腹側下部領域１２ＦＤおよび背側下部領域１２ＲＤならびに腹側上部領域１２ＦＵおよび背側上部領域１２ＲＵにおいて、第２接着剤２５と一体的となる。
【００４６】
第２弾性部材２３Ｅも、複数本が互いに平行な状態で、かつ、ホットメルト接着剤が塗布され伸長された状態で、腹側下部領域１２ＦＤから股下部１０Ｃを介して背側下部領域１２ＲＤに亘って延在される。具体的には、第２弾性部材２３Ｅの前端部は、腹側下部領域１２ＦＤの股下部１０Ｃ側の端部よりも腹側上部領域１２ＦＵ側に位置し、かつ、腹側上部領域１２ＦＵよりも股下部１０Ｃ側、すなわち腹側下部領域１２ＦＤに位置している。この例において、第２弾性部材２３Ｅの前端部は、腹側下部領域１２ＦＤの腹側上部領域１２ＦＵ側の端部に位置している。また、第２弾性部材２３Ｅの後端部は、背側下部領域１２ＲＤの股下部１０Ｃ側の端部よりも背側上部領域１２ＲＵ側に位置し、かつ、背側上部領域１２ＲＵよりも股下部１０Ｃ側、すなわち背側下部領域１２ＲＤに位置している。この例において、第２弾性部材２３Ｅの後端部は、背側下部領域１２ＲＤの背側上部領域１２ＲＵ側の端部に位置している。第２弾性部材２３Ｅの前端部や後端部は、下部領域１２ＦＤ，１２ＲＤの股下部１０Ｃ側の端部よりも上部領域１２ＦＵ，１２ＲＵ側に位置していればよく、例えば、第２弾性部材２３Ｅの前端部や後端部を上部領域１２ＦＵ，１２ＲＵに位置させたときには、レグギャザー２３の範囲をよりも広くすることができる。
【００４７】
レグギャザー２３の前後方向における各端部（第２弾性部材２３Ｅが存在しないシート側縁部１８Ａ）は、腹側上部領域１２ＦＵおよび腹側下部領域１２ＦＤ、並びに背側上部領域１２ＲＵおよび背側下部領域１２ＲＤと重なり、腹側上部領域１２ＦＵおよび背側上部領域１２ＲＵと重なる全領域において、先端部（吸収性本体１６の左右両端部）から根本部（左右方向における中心線に近い端部）までの間が外装体を構成するシート（腹側内部シート部２５Ｆおよび背側内部シート部２５Ｒ）に第２接着剤２５によって接着されている（図５（ｃ）参照）。
【００４８】
また、レグギャザー２３の前後方向における各端部は、腹側下部領域１２ＦＤおよび背側下部領域１２ＲＤと重なる領域において、先端部（吸収性本体１６の左右両端部）から根本部（左右方向における中心線に近い端部）までの間が、外装体を構成するシートに非接着とされ、折り返した部分の先端部のみがシート（腹側内部シート部２５Ｆおよび背側内部シート部２５Ｒ）に第２接着剤２５によって接着されている（図５（ｂ）参照）。このように、レグギャザー２３の先端部から最も根本部に近い第２弾性部材２３Ｅ１までの間が少なくとも外装体を構成するシート（腹側内部シート部２５Ｆおよび背側内部シート部２５Ｒ）に対して非接着とされている。これにより、レグギャザー２３は、腹側下部領域１２ＦＤおよび背側下部領域１２ＲＤにおいて、先端部から根本部までが外装体を構成するシート（腹側内部シート部２５Ｆおよび背側内部シート部２５Ｒ）に対して全接着されている場合に比べて、立ち上がることができる。
【００４９】
以上のようなおむつ１０では、腹側外部シート部２６Ｆおよび腹側内部シート部２５Ｆが腹側上部領域１２ＦＵおよび腹側下部領域１２ＦＤに跨って設けられている。背側外部シート部２６Ｒおよび背側内部シート部２５Ｒも背側上部領域１２ＲＵおよび背側下部領域１２ＲＤに跨って設けられている。そして、腹側外部シート部２６Ｆおよび腹側内部シート部２５Ｆと背側外部シート部２６Ｒおよび背側内部シート部２５Ｒとは、接合部１１で接合されている。これにより、おむつ１０を履く際にも、脚が上部領域と下部領域との間の隙間に進入してしまい、おむつ１０が履きにくくなることを防ぐことができる。
【００５０】
ここで、以上のようにおむつ１０が着用された状態の立体ギャザー２１とレグギャザー２３の状態について説明する。図６（ａ）に示すように、股下部１０Ｃにおいて、レグギャザー２３が第２弾性部材２３Ｅの収縮により肌当接方向に例えばほぼ鉛直な状態に立ち上がり、シート側縁部１８Ａの先端部が股下に当接する。これに伴い、立体ギャザー２１も、第１弾性部材２１Ｅの収縮によりシート側縁部１８Ａに対して肌当接方向（高さ方向）に例えば鋭角（Ｖ字形状）に立ち上がる。そして、立体ギャザー２１とレグギャザー２３との間には、溝２３Ａが構成される。
【００５１】
図６（ｂ）に示すように、腹側下部領域１２ＦＤおよび背側下部領域１２ＲＤでは、股下部１０Ｃほどではないものの、レグギャザー２３が腹側内部シート部２５Ｆおよび背側内部シート部２５Ｒに対して肌当接方向に立ち上がり、シート側縁部１８Ａの先端部が脚部の付け根部に当接する。これに伴い、立体ギャザー２１もシート側縁部１８Ａに対して肌当接方向（高さ方向）に例えば鋭角（Ｖ字形状）に立ち上がる。立体ギャザー２１とレグギャザー２３との間の溝２３Ａは、股下部１０Ｃから連続して、腹側下部領域１２ＦＤおよび背側下部領域１２ＲＤにおいても構成される。
【００５２】
図６（ｃ）に示すように、腹側上部領域１２ＦＵおよび背側上部領域１２ＲＵでは、レグギャザー２３の第２弾性部材２３Ｅは配置されておらず、シート側縁部１８Ａは、着用者のウェストの内部弾性部２７Ｆ，２７Ｒが収縮することによって、腹部や腰部の形状に倣うように撓んで立ち上がる。また、立体ギャザー２１の第１弾性部材２１Ｅも配置されていない。第１弾性部材２１Ｅを備えていない立体ギャザー２１のサイドシート２１Ｓは、腹側上部領域１２ＦＵおよび背側上部領域１２ＲＵと重なる全領域が吸収性本体１６の内面に接着されている。したがって、立体ギャザー２１は、シート側縁部１８Ａと一体的に撓んで立ち上がる。そして、腹側上部領域１２ＦＵおよび背側上部領域１２ＲＵにおける立体ギャザー２１の立ち上がりに追従して腹側下部領域１２ＦＤおよび背側下部領域１２ＲＤならびに股下部１０Ｃのレグギャザー２３や立体ギャザー２１もしっかりと立ち上がる。また、溝２３Ａは、立体ギャザー２１のサイドシート２１Ｓの全領域が吸収性本体１６の内面に接着されることで、腹側上部領域１２ＦＵおよび背側上部領域１２ＲＵでは無くなることになる。すなわち、溝２３Ａは、上部領域１２ＦＵ，１２ＲＵと下部領域１２ＦＤ，１２ＲＤとの境界部分が終点となる。
【００５３】
図６（ａ）に示すように、股下部１０Ｃでは、立体ギャザー２１が内側に位置しレグギャザー２３が外側に位置する。排泄物である尿などの液体２３Ｂは、股下部１０Ｃにおいて、立体ギャザー２１を乗り越えて、立体ギャザー２１とレグギャザー２３との間に浸入してしまうこともある。立体ギャザー２１とレグギャザー２３との間の液体２３Ｂは、着用者の姿勢が変わることを契機として、立体ギャザー２１とレグギャザー２３との間の溝２３Ａを伝って腹側上部領域１２ＦＵおよび背側上部領域１２ＲＵの方向へ流れる。すると、腹側上部領域１２ＦＵおよび背側上部領域１２ＲＵでは、立体ギャザー２１がシート側縁部１８Ａに接着されていることから、溝２３Ａがなくなり、液体２３Ｂがポケット３０Ｆ，３０Ｒ内において、吸収領域の方向（Ｄ１方向）に流れることになる。
【００５４】
以上、上記実施形態によれば以下に列挙する効果を得ることができる。
（１）前身頃１０Ｆおよび後身頃１０Ｒが上部領域１２ＦＵ，１２ＲＵおよび下部領域１２ＦＤ，１２ＲＤに分かれ内部弾性部２７Ｆ，２７Ｒが吸収性本体１６の内側に配置され、外部弾性部２８Ｆ，２８Ｒが吸収性本体１６の外側に配置されたおむつ１０において、立体ギャザー２１とレグギャザー２３とを配置することができる。これにより、脚回りからの漏れを抑制することができる。
【００５５】
（２）立体ギャザー２１は、第１弾性部材２１Ｅの前端部が腹側下部領域１２ＦＤの腹側上部領域１２ＦＵ側の端部に位置し、後端部が、背側下部領域１２ＲＤの背側上部領域１２ＲＵ側の端部に位置している。また、レグギャザー２３の第２弾性部材２３Ｅも、前端部が腹側下部領域１２ＦＤの腹側上部領域１２ＦＵ側の端部に位置し、後端部が、背側下部領域１２ＲＤの背側上部領域１２ＲＵ側の端部に位置している。すなわち、前後方向における第１弾性部材２１Ｅおよび第２弾性部材２３Ｅの配置される範囲はほぼ同じ範囲である。これにより、股下部１０Ｃからポケット３０Ｆ，３０Ｒの開口端までの範囲で立体ギャザー２１およびレグギャザー２３を機能させることができ、排泄物を確実にポケット３０Ｆ，３０Ｒの方向に案内することができる。
【００５６】
（３）立体ギャザー２１は、腹側上部領域１２ＦＵおよび背側上部領域１２ＲＵでは、サイドシート２１Ｓの先端部２１Ｐから折返部２１Ｔまで全領域が接着剤によって固定され、シール部２１Ｃとなっている。したがって、当該上部領域において、着用時、立体ギャザー２１は、レグギャザー２３が構成されたシート側縁部１８Ａの立ち上がりとともに立ち上がり、さらに、この立ち上がりに追従させて、腹側下部領域１２ＦＤおよび背側下部領域１２ＲＤならびに股下部１０Ｃの立体ギャザー２１もしっかりと立ち上がらせることができる。これにより、脚回りからの漏れを抑制することができる。
【００５７】
（４）シート側縁部１８Ａは、腹側上部領域１２ＦＵおよび背側上部領域１２ＲＵにおいて、着用者のウェストの内部弾性部２７Ｆ，２７Ｒが収縮することによって、腹部や腰部の形状に倣うように撓んで立ち上がる。腹側上部領域１２ＦＵおよび背側上部領域１２ＲＵの立ち上がりに追従して、腹側下部領域１２ＦＤおよび背側下部領域１２ＲＤにおけるレグギャザー２３は、先端部（吸収性本体１６の左右両端部）から根本部（左右方向における中心線に近い端部）までの間が外装体を構成する腹側内部シート部２５Ｆおよび背側内部シート部２５Ｒに対して非接着であるため、腹側内部シート部２５Ｆおよび背側内部シート部２５Ｒに対して立ち上がることができる。これにより、脚回りからの漏れを抑制することができる。
【００５８】
（５）立体ギャザー２１とレグギャザー２３との間の溝２３Ａに浸入した液体２３Ｂは、着用者の姿勢が変わることを契機として、溝２３Ａを伝って、腹側上部領域１２ＦＵおよび背側上部領域１２ＲＵの方向へ流れる。このような液体２３Ｂは、上部領域１２ＦＵ，１２ＲＵと下部領域１２ＦＤ，１２ＲＤとの境界部分の終点に至ると、溝２３Ａが無くなることで、ポケット３０Ｆ，３０Ｒ内において、吸収領域の方向（Ｄ１方向）に流れ、吸収体１８に吸収される。したがって、溝２３Ａに浸入した液体２３Ｂがレグギャザー２３から外に漏れることを防ぐことができる。
【００５９】
（６）腹側上部領域１２ＦＵおよび背側上部領域１２ＲＵでは、ポケット３０Ｆ，３０Ｒの部分において、吸収性本体１６の端部領域１６Ａに対して、内部弾性部２７Ｆ，２７Ｒが非接着なので、腹側上部弾性部材１５ＦＵおよび背側上部弾性部材１５ＲＵが自由に伸縮することができる。したがって、腹側上部領域１２ＦＵと背側上部領域１２ＲＵと肌との密着性が良くなり、また、着用者の動きに対する追従性を良くすることができる。この結果、腹漏れや背漏れの発生を抑制することができる。また、腹側上部弾性部材１５ＦＵおよび背側上部弾性部材１５ＲＵの伸縮が制限されないことで、腹側上部領域１２ＦＵおよび背側上部領域１２ＲＵにおける肌触りを良くすることができる。
【００６０】
（７）腹側内部弾性部２７Ｆおよび背側内部弾性部２７Ｒの下側にさらに、腹側外部弾性部２８Ｆおよび背側外部弾性部２８Ｒを配しているので、ウェストギャザーやタミーギャザーを大きくし、腹漏れや背漏れの発生を抑制することができる。
【００６１】
（８）吸収性本体１６は、最外のシートとしてカバーシート２０を備えているので、股下部１０Ｃの外側の面における手触りを良くすることができる。
（９）腹側ポケット３０Ｆは、背側ポケット３０Ｒに対して大きく深いものとし、尿などの排泄物を収容するための容積を十分確保し、腹漏れの発生を抑えることができる。
【００６２】
（１０）腹側外部シート部２６Ｆおよび腹側内部シート部２５Ｆが腹側上部領域１２ＦＵおよび腹側下部領域１２ＦＤに跨って設けられている。背側外部シート部２６Ｒおよび背側内部シート部２５Ｒも背側上部領域１２ＲＵおよび背側下部領域１２ＲＤに跨って設けられている。そして、腹側外部シート部２６Ｆおよび腹側内部シート部２５Ｆと背側外部シート部２６Ｒおよび背側内部シート部２５Ｒとは、接合部１１で接合されている。これにより、おむつ１０を履く際にも、脚が上部領域と下部領域との間の隙間に進入してしまい、おむつ１０が履きにくくなることを防ぐことができる。また、おむつ１０を廃棄する場合、接合部１１を破り、腹側外装体１２Ｆと背側外装体１２Ｒとを胴回り方向の両端部を切り離す１回の破る作業で着用者から脱がすことができる。
【００６３】
なお、上記実施形態は以下のように適宜変更して実施することもできる。
・吸収性本体１６は、バックシート１７とカバーシート２０の何れかを省略する構成としてもよい。
【００６４】
・背側ポケット３０Ｒの大きさは、腹側ポケット３０Ｆの大きさと同じあってもよいし、背側ポケット３０Ｒの方が腹側ポケット３０Ｆよりも大きくてもよい。
・ポケット３０Ｆ，３０Ｒの何れか又は両方を省略する構成としてもよい。
【００６５】
・ポケット３０Ｆ，３０Ｒの形状は、排泄物の浸入を妨げ収容できれば特に限定されるものではない。例えば、ポケット３０Ｆ，３０Ｒは、例えばポケット３０Ｆ，３０Ｒの開口端の幅が狭まった全体がΩ形状を有していてもよい。これにより、ポケット３０Ｆ，３０Ｒに入った排泄物が逆戻りすることを抑制することができる。また、ポケット３０Ｆ，３０Ｒの開口端の幅が胴回り開口部１０Ａ側の辺よりも広くてもよい。
【００６６】
・おむつ１０において、上部領域１２ＦＵ，１２ＲＵだけを弾性部材を胴回り方向に配した弾性部としてもよいし、下部領域１２ＦＤ，１２ＲＤだけを弾性部材を胴回り方向に配した弾性部としてもよい。また、上述の実施形態とは逆の構成で、下部領域１２ＦＤ，１２ＲＤに内部弾性部を構成し、上部領域１２ＦＵ，１２ＲＵに外部弾性部を構成するようにしてもよい。
【００６７】
・腹側外装体１２Ｆおよび背側外装体１２Ｒを構成するシートは、液不透過性であってもよいし、液透過性であってもよい。
・おむつ１０において、胴回り開口部１０Ａの部分が例えば１枚のシートで破れるおそれがない程度に強度を出すことができる場合、腹側内部シート部２５Ｆおよび背側内部シート部２５Ｒは、端部領域１６Ａ対して内側の位置と外側の位置で一連に繋がっていなくてもよい。すなわち、胴回り開口部１０Ａの部分は、腹側外部シート部２６Ｆおよび背側外部シート部２６Ｒだけで構成してもよい。
【００６８】
・腹側上部領域１２ＦＵおよび背側上部領域１２ＲＵにおいて、立体ギャザー２１の第１弾性部材２１Ｅを挟み込んでいないサイドシート２１Ｓは、全領域ではなく、部分的にシート側縁部１８Ａに対して接着剤２１Ａによって固定されていてもよい。この場合、腹側上部領域１２ＦＵおよび背側上部領域１２ＲＵの折り返されたサイドシート２１Ｓは、第１弾性部材２１Ｅが配置されていないのでほとんど立ち上がらない。したがって、サイドシート２１Ｓは、全領域をシート側縁部１８Ａに対して全接着した場合とほぼ同様な状態となり、腹側上部領域１２ＦＵおよび背側上部領域１２ＲＵには、溝２３Ａは形成されない。したがって、股下部１０Ｃにある溝２３Ａの液体２３Ｂを、やはり、腹側上部領域１２ＦＵおよび背側上部領域１２ＲＵにおいて、吸収領域の方向（Ｄ１方向）に流すことができる。
【００６９】
・レグギャザー２３は、カバーシート２０の側縁部を折り返して間に第２弾性部材２３Ｅを挟んで構成するのではなく、例えば、カバーシート２０の前後方向に沿った両側縁部とバックシート１７やトップシート１９の長手方向に沿った両側縁部とを重ね合わせて、間に第２弾性部材２３Ｅを挟んで構成してもよい。
【００７０】
第２弾性部材２３Ｅの端部は、レグギャザー２３が立ち上がるのであれば、上部領域１２ＦＵ，ＲＵの股下部１０Ｃ側の端部よりも上側に位置していてもよい。
【００７１】
・腹側外装体１２Ｆおよび背側外装体１２Ｒのうちの少なくとも一方が上部領域と下部領域とを備える構成であればよく、腹側外装体１２Ｆ及び背側外装体１２Ｒのうちの一方のみが上部領域と下部領域とを備える構成としてもよい。
【００７２】
・立体ギャザー２１の前後方向における端部は、上部領域と重なる領域において、立体ギャザー２１の先端部２１Ｐから折返部２１Ｔに亘る領域の全部を基端部２１Ｂ側に接着する構成としたが、上部領域と重なる領域において、サイドシート２１Ｓの先端部２１Ｐから折返部２１Ｔまでの一部を基端部２１Ｂ側に接着する構成とするようにしてもよい。例えば、サイドシート２１Ｓの先端と折返部２１Ｔとの中間部や先端を基端部２１Ｂ側に非接着とするようにしてもよい。
【００７３】
・吸収性物品としては、腹側外装体１２Ｆと背側外装体１２Ｒとが分離したパンツ型のおむつに限らず、腹側外装体と背側外装体とが一体化したパンツ型のおむつであってもよく、またパンツ型のおむつに限らず、テープ型のおむつであってもよい。また、乳幼児用又は介護を必要とする高齢者や障害者等の成人用の使い捨ておむつであってもよい。
【符号の説明】
【００７４】
１０Ａ…胴回り開口部、１０Ｃ…股下部、１０Ｆ…前身頃、１０Ｌ…脚回り開口部、１０Ｒ…後身頃、１０Ｗ…胴回り部、１１…接合部、１２Ｆ…腹側外装体、１２ＦＤ…腹側下部領域、１２ＦＵ…腹側上部領域、１２Ｒ…背側外装体、１２ＲＤ…背側下部領域、１２ＲＵ…背側上部領域、１５ＦＤ…腹側下部弾性部材、１５ＦＵ…腹側上部弾性部材、１５ＲＤ…背側下部弾性部材、１５ＲＤ１…背側下部弾性部材、１５ＲＵ…背側上部弾性部材、１６…吸収性本体、１６Ａ…端部領域、１７…バックシート、１８…吸収体、１８Ａ…シート側縁部、１８Ｂ…周辺部、１８Ｆ…腹側端部、１８Ｆ…端部、１８Ｒ…背側端部、１８Ｒ…端部、１９…トップシート、２０…カバーシート、２１…立体ギャザー、２１Ａ…接着剤、２１Ｂ…基端部、２１Ｃ…シール部、２１Ｅ…第１弾性部材、２１Ｅ１…第１弾性部材、２１Ｐ…先端部、２１Ｓ…サイドシート、２１Ｔ…折返部、２２Ａ…第１接着領域、２２Ｂ…第２接着領域、２２Ｃ…第３接着領域、２３…レグギャザー、２３Ａ…溝、２３Ｂ…液体、２３Ｃ…接着剤、２３Ｅ…第２弾性部材、２４…第１接着剤、２５…第２接着剤、２５Ｆ…腹側内部シート部、２５Ｒ…背側内部シート部、２６Ｆ…腹側外部シート部、２６Ｒ…背側外部シート部、２７Ｆ…腹側内部弾性部、２７Ｆ…内部弾性部、２７Ｒ…背側内部弾性部、２７Ｒ…内部弾性部、２８Ｆ…腹側外部弾性部、２８Ｆ…外部弾性部、２８Ｒ…背側外部弾性部、２８Ｒ…外部弾性部、３０Ｆ…腹側ポケット、３０Ｒ…背側ポケット、３４…余白部、３６…腹部、３７…窪み部、３８…背部、３９…臀部。
【図１】
2018108337.tif 000003
【図２】
2018108337.tif 000004
【図３】
2018108337.tif 000005
【図４】
2018108337.tif 000006
【図５】
2018108337.tif 000007
【図６】
2018108337.tif 000008